(57)【要約】  補償に用いた他の端局装置が送信した光信号が、当該光信号の本来の通信先ではない装置によって受信されてしまうことによって、当該光信号に含まれる情報の秘匿性を確保できないという問題が生じる。  本発明の光受信装置は、波長多重信号光を入力する受信手段と、入力された前記波長多重信号光のうち、所定の波長の光信号に含まれる識別子に応じて、前記所定の波長の光信号を転送する送信手段と、を備えることを特徴とする。
2015045303.tif 000002
【特許請求の範囲】
【請求項１】
波長多重信号光を入力する受信手段と、
入力された前記波長多重信号光のうち、所定の波長の光信号に含まれる識別子に応じて、前記所定の波長の光信号を転送する送信手段と、
を備えることを特徴とする光受信装置。
【請求項２】
比較情報を予め記憶する記憶手段と、
前記識別子と前記比較情報とが互いに一致するか否かを判定する比較手段と、をさらに含み、
前記送信手段は、前記比較手段が一致すると判定した場合に、前記所定の波長の光信号を転送することを特徴とする請求項１に記載の光受信装置。
【請求項３】
前記送信手段は、前記比較手段が一致しないと判定した場合に、前記所定の波長の光信号を破棄することを特徴とする請求項１又は２に記載の光受信装置。
【請求項４】
所定のパターンを生成するパターン生成手段をさらに含み、
前記送信手段は、前記比較手段が一致しないと判定した場合に、前記パターン生成手段が生成した前記所定のパターンを含む、前記所定の波長の光信号を出力することを特徴とする請求項１乃至３のいずれかに記載の光受信装置。
【請求項５】
前記受信手段は、
入力された前記波長多重信号光を前記所定の波長の光信号に分波する分波手段と、
前記分波手段が分波した前記所定の波長の光信号を受信する入力手段と、を有し、
前記入力手段は、前記比較手段に対して、前記所定の波長の光信号を出力することを特徴とする請求項１乃至４のいずれかに記載の光受信装置。
【請求項６】
前記受信手段は、
入力された前記波長多重信号光を分岐する分岐手段と、
前記分岐手段が分岐した前記波長多重信号光のうち、前記所定の波長の光信号を選択的に受信する入力手段と、を有し、
前記入力手段は、前記比較手段に対して、受信した前記所定の波長の光信号を出力することを特徴とする請求項１乃至４のいずれかに記載の光受信装置。
【請求項７】
所定の波長の光信号を受信する受信手段と、
前記受信手段が受信した前記所定の波長の光信号に、自装置を一意に識別する識別子を含ませて送信する送信手段と、
前記識別子を含む光信号と前記所定の波長と異なる波長の光信号とを合波して出力する合波手段と、
を備えることを特徴とする光送信装置。
【請求項８】
所定のパターンを生成するパターン生成手段をさらに含み、
前記送信手段は、所定の条件に応じて、前記所定のパターンを含む、前記所定の波長の光信号を送信することを特徴とする請求項７に記載の光送信装置。
【請求項９】
所定の波長の光信号を受信する第１の受信手段と、前記第１の受信手段から入力した前記所定の波長の光信号に、自装置を一意に識別する識別子を含ませて送信する第１の送信手段と、前記識別子を含む光信号及び前記所定の波長と互いに異なる波長の光信号を合波して出力する合波手段と、を備える光送信装置と、
前記光送信装置が送信した波長多重信号光を入力する第２の受信手段と、入力された前記波長多重信号光のうち、所定の波長の光信号に含まれる識別子に応じて、前記所定の波長の光信号を転送する第２の送信手段とを備える光受信装置と、
を含むことを特徴とする光通信システム。
【請求項１０】
前記光送信装置が出力した波長多重光信号のうち、前記所定の波長の光信号を分岐して合波する中継装置と、
前記中継装置が分岐した光信号を受信し、前記中継装置に前記所定の波長の光信号を送信する光送受信装置と、をさらに含み、
前記中継装置は、当該中継装置と前記光送受信装置との間の伝送路に障害が生じたことに応じて、前記光受信装置に出力する光信号を、前記光送受信装置が送信する所定の波長の光信号から前記光送信装置が送信する所定の波長の光信号に切り替える
ことを特徴とする請求項９に記載の光通信システム。
【請求項１１】
前記光送信装置は、
所定のパターンを生成するパターン生成手段をさらに含み、
前記第１の送信手段は、所定の条件に応じて、前記パターン生成手段が生成した所定のパターンを含む、前記所定の波長の光信号を送信する
ことを特徴とする請求項９又は１０のいずれかに記載の.光通信システム。
【請求項１２】
前記伝送路に生じた障害を検知して前記光送信装置に通知する制御装置をさらに含み、  前記光送信装置は、前記制御装置からの通知に応じて前記所定のパターンを含む、前記所定の波長の光信号を送信する
ことを特徴とする請求項１１に記載の光通信システム。
【請求項１３】
波長多重信号光を受信し、
入力された前記波長多重信号光のうち、所定の波長の光信号に含まれる識別子に応じて、前記所定の波長の光信号を転送する、
光通信方法。
【請求項１４】
前記識別子と予め記憶されている比較情報とが互いに一致するか否かを判定し、
前記識別子と前記比較情報とが互いに一致すると判定した場合に、前記所定の波長の光信号を転送する
ことを特徴とする請求項１３に記載の光通信方法。
【請求項１５】
所定の波長の光信号を受信し、
前記入力した前記所定の波長の光信号に、自装置を一意に識別する識別子を含ませて送信し、
前記識別子を含む光信号及び前記所定の波長と互いに異なる波長の光信号を合波し、前記波長多重信号光として出力する
ことを特徴とする請求項１３又は１４に記載の光通信方法。
【請求項１６】
波長多重信号光を受信する処理と、
入力された前記波長多重信号光のうち、所定の波長の光信号に含まれる識別子に応じて、前記所定の波長の光信号を転送する処理と
をコンピュータに実行させることを特徴とするプログラムが記憶された記憶媒体。
【請求項１７】
前記識別子と予め記憶する比較情報とが互いに一致するか否かを判定する処理と、
前記識別子と前記比較情報とが互いに一致すると判定した場合に、前記所定の波長の光信号を転送する処理と
を含むことを特徴とする請求項１６に記載のプログラムが記憶された記憶媒体。
【請求項１８】
所定の波長の光信号を受信する処理と、
前記入力した前記所定の波長の光信号に、自装置を一意に識別する識別子を含ませて送信する処理と、
前記識別子を含む光信号及び前記所定の波長と互いに異なる波長の光信号を合波し、前記波長多重信号光として出力する処理と
を含むことを特徴とする請求項１６又は１７に記載のプログラムが記憶された記憶媒体。
【発明の詳細な説明】
【技術分野】
【０００１】
本発明は、光受信装置、光送信装置、光通信システム、光通信方法及びプログラムが記憶された記憶媒体に関する。
【背景技術】
【０００２】
近年、トラフィックの増加に伴い、海底ケーブルシステムにおいて、回線（ライン）の広帯域化やネットワークの高機能化が求められている。そのため、ＯＡＤＭ（Ｏｐｔｉｃａｌ  Ａｄｄ−Ｄｒｏｐ  Ｍｕｌｔｉｐｌｅｘｅｒ）や、ＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）といった技術が、海底ケーブルシステムに適用されている。【０００３】
海底ＲＯＡＤＭシステムでは、波長分割多重（ＷＤＭ：Ｗａｖｅｌｅｎｇｔｈ  Ｄｉｖｉｓｉｏｎ  Ｍｕｌｔｉｐｌｅｘｉｎｇ）通信が用いられ、例えば、伝送装置が、クライアント信号を波長多重光信号として海底ケーブルに入力し、１つの光ファイバに複数のパスを収容することによって、ネットワークの柔軟性を向上させている。【０００４】
ＯＡＤＭ機能を有する海底ケーブルシステムでは、光ファイバで構成されるケーブルを伝送する信号のトータルパワーは一定になるように設定されており、当該ケーブルの切断等によって信号の一部の波長成分が消失した場合には、当該信号の他の波長成分が増幅されることによって、当該信号のトータルパワーが一定に保たれる。【０００５】
しかし、信号の特定の波長成分のパワーだけを大きくすることによって、当該パワーが所定の値以上になると、光ファイバの非線形効果によって、信号の波形の劣化等を要因として光スペクトルに変化が生じ、当該信号の伝送品質が劣化してしまう。【０００６】
そこで、特許文献１に記載の光通信システムは、ケーブルに障害が発生した場合に、ダミー光によって信号のトータルパワーを補正し、通信品質を担保する技術に関する。特許文献１に記載の光通信システムにおいて、端局装置（光送信装置）は、ケーブル断障害が発生した場合に、光信号断が生じた箇所に応じたダミー光を生成するダミー光生成部を備え、送信する信号の強度（パワー）を一定に保つ。
【先行技術文献】
【特許文献】
【０００７】
【特許文献１】特開２０１０−９８５４７号公報
【発明の概要】
【発明が解決しようとする課題】
【０００８】
上述した通り、特許文献１に記載の端局装置（光送信装置）は、光信号を補償するためにダミー光を生成する必要があり、ダミー光生成部を備えなければならない。【０００９】
そこで、端局装置（光送信装置）がダミー光生成部を備えることなく光信号を補償するために、他の端局装置が送信している光信号によって、消失した光信号を補償することが考えられる。しかしながら、補償に用いた他の端局装置が送信した光信号が、当該光信号の本来の通信先ではない装置によって受信されてしまうことによって、当該光信号に含まれる情報の秘匿性を確保できないという問題が生じる。【００１０】
本発明の目的は、上記問題を解決し、光信号が、本来の送信先装置ではない装置に転送されることを防止し、当該光信号に含まれる情報の秘匿性を確保できる光受信装置、光送信装置、光通信システム、光通信方法及びプログラムが記憶された記憶媒体を提供することである。
【課題を解決するための手段】
【００１１】
本発明の光受信装置は、波長多重信号光を入力する受信手段と、入力された前記波長多重信号光のうち、所定の波長の光信号に含まれる識別子に応じて、前記所定の波長の光信号を転送する送信手段と、を備えることを特徴とする。【００１２】
本発明の光送信装置は、所定の波長の光信号を受信する受信手段と、前記受信手段が受信した前記所定の波長の光信号に、自装置を一意に識別する識別子を含ませて送信する送信手段と、前記識別子を含む光信号と前記所定の波長と異なる波長の光信号とを合波して出力する合波手段と、を備えることを特徴とする。【００１３】
本発明の光通信システムは、所定の波長の光信号を受信する第１の受信手段と、前記第１の受信手段から入力した前記所定の波長の光信号に、自装置を一意に識別する識別子を含ませて送信する第１の送信手段と、前記識別子を含む光信号及び前記所定の波長と互いに異なる波長の光信号を合波して出力する合波手段と、を備える光送信装置と、前記光送信装置が送信した波長多重信号光を入力する第２の受信手段と、入力された前記波長多重信号光のうち、所定の波長の光信号に含まれる識別子に応じて、前記所定の波長の光信号を転送する第２の送信手段とを備える光受信装置と、を含むことを特徴とする。【００１４】
本発明の光通信方法は、波長多重信号光を受信し、入力された前記波長多重信号光のうち、所定の波長の光信号に含まれる識別子に応じて、前記所定の波長の光信号を転送する、ことを特徴とする。【００１５】
本発明の記憶媒体に記憶されたプログラムは、波長多重信号光を受信する処理と、入力された前記波長多重信号光のうち、所定の波長の光信号に含まれる識別子に応じて、前記所定の波長の光信号を転送する処理とをコンピュータに実行させることを特徴とする。
【発明の効果】
【００１６】
本発明は、光受信装置、光送信装置、光通信システム、光通信方法及びプログラムが記憶された記憶媒体において、光信号が、本来の送信先装置ではない装置に転送されることを防止し、当該光信号に含まれる情報の秘匿性を確保できるという効果がある。
【図面の簡単な説明】
【００１７】
【図１】本発明の第１の実施形態における光通信システムの構成例を示す図である。
【図２】本発明の第１の実施形態における光受信装置の構成例を示す図である。
【図３】本発明の第１の実施形態における光受信装置の動作例を示すフローチャートである。
【図４】本発明の第２の実施形態における光受信装置の構成例を示す図である。
【図５】本発明の第２の実施形態における光受信装置の動作例を示すフローチャートである。
【図６】本発明の第２の実施形態における光受信装置の他の構成例を示す図である。
【図７】本発明の第２の実施形態における光受信装置の他の動作例を示すフローチャートである。
【図８】本発明の第３の実施形態における光受信装置の他の構成例を示す図である。
【図９】本発明の第３の実施形態における光受信装置の他の動作例を示すフローチャートである。
【図１０】本発明の第４の実施形態における光送信装置の構成例を示す図である。
【図１１】本発明の第４の実施形態における光送信装置の動作例を示すフローチャートである。
【図１２】本発明の第５の実施形態における光送信装置の構成例を示す図である。
【図１３】本発明の第５の実施形態における光送信装置の動作例を示すフローチャートである。
【図１４】本発明の第６の実施形態における光通信システムの構成例を示す図である。
【図１５】本発明の第６の実施形態における端局装置の構成例を示す図である。
【図１６】本発明の第６の実施形態におけるトランスポンダの構成例を示す図である。
【図１７】本発明の第６の実施形態における、各基地局のトランスポンダの接続関係と、使用される波長を示す表である。
【図１８】本発明の第６の実施形態における、各基地局の各々に備わるトランスポンダと、当該トランスポンダの識別子と、当該トランスポンダの通信相手であるトランスポンダの識別子とを示す表である。
【図１９】本発明の第６の実施形態におけるトランスポンダの動作例を示すシーケンス図である。
【図２０】本発明の第６の実施形態におけるトランスポンダの他の動作例を示すシーケンス図である。
【図２１】本発明の第６の実施形態におけるトランスポンダの他の構成例を示す図である。
【図２２】本発明の第７の実施形態におけるトランスポンダの構成例を示す図である。
【図２３】本発明の第７の実施形態におけるトランスポンダの動作例を示すシーケンス図である。
【図２４】本発明の第７の実施形態におけるトランスポンダの他の構成例を示す図である。
【図２５】本発明の第８の実施形態におけるトランスポンダの構成例を示す図である。
【図２６】本発明の第８の実施形態におけるトランスポンダの動作例を示すシーケンス図である。
【図２７】本発明の第９の実施形態における、伝送路に障害が生じる前の通信システムの構成例を示す図である。
【図２８】本発明の第９の実施形態における、伝送路に障害が生じた前のトランスポンダの接続関係を示す表である。
【図２９】本発明の第９の実施形態における、伝送路に障害が生じた後の通信システムの構成例を示す図である。
【図３０】本発明の第９の実施形態における、伝送路に障害が生じた後のトランスポンダの他の接続関係を示す表を示す図である。
【図３１】本発明の第９の実施形態における、接続関係を変更した後のトランスポンダの接続関係を示す表である。
【図３２】本発明の第１０の実施形態における光通信システムの構成例を示す図である。
【発明を実施するための形態】
【００１８】
＜第１の実施形態＞
本発明の第１の実施形態の概要について、図面を参照して説明する。なお、この概要に付記した図面参照符号は、理解を助けるための一例として各要素に便宜上付記したものであり、この概要の記載はなんらの限定を意図するものではない。
【００１９】
図１は、本発明の第１の実施形態における光通信システムの構成例である。図１に示すように、光通信システムは、波長多重信号光を受信する光受信装置１−１と、波長多重信号光を送信する光送信装置１−２と、波長多重信号光を送受信する光送受信装置１−３とを含む。また、当該光通信システムは、波長多重信号光を伝送する伝送路２０と、波長多重信号光を合波及び分岐するＢＵ（Ｂｒａｎｃｈ  Ｕｎｉｔ：光分岐装置）３０とを含む。
【００２０】
図２は、光受信装置１−１の構成例を示す図である。光受信装置１−１は、受信部１１と送信部１２とを備える。
【００２１】
受信部１１は、伝送路２０から入力された波長多重信号光を受信する。また、送信部１２は、受信部１１が受信した波長多重信号光のうち、所定の波長の光信号に含まれる識別子に応じて、前記所定の波長の光信号を転送する。
【００２２】
図３は、本発明の第１の実施形態における光受信装置１−１の動作例を示すフローチャートである。
【００２３】
受信部１１は、伝送路２０から入力された波長多重信号光を受信する（Ｓ１０１）。
【００２４】
送信部１２は、受信部１１が受信した波長多重信号光のうち、所定の波長の光信号に含まれる識別子に応じて、当該所定の波長の光信号を転送する（Ｓ１０２）。
【００２５】
上記のとおり、本発明の第１の実施形態の光受信装置１−１は、所定の波長の光信号に含まれる識別子に応じて当該所定の波長の光信号を転送するので、当該光信号が本来の送信先の装置でない場合は、当該光信号を当該後段の装置に転送しない。そのため、当該光信号が本来の送信先ではない装置に転送されることを防止でき、当該光信号に含まれる情報の秘匿性を確保できる。
【００２６】
＜第２の実施形態＞
本発明の第２の実施形態の概要について、図面を参照して説明する。
【００２７】
本発明の第２の実施形態における光通信システムの構成例は、図１と同様である。
【００２８】
図４は、光受信装置１−１の構成例を示す図である。光受信装置１−１は、送信部１２と、比較部１３と、記憶部１４と、入力部１５と、分波部１６とを備える。
【００２９】
分波部１６は、伝送路２０から入力された波長多重信号光を分波し、入力部１５に対して、当該入力部１５に応じた所定の波長の光信号を出力する。
【００３０】
受信部１５は、分波部１６から入力された光信号を電気信号に変換し、比較部１３に出力する。
【００３１】
比較部１３は、記憶部１４に予め記憶されている識別子（比較情報）と、受信部１５から入力された電気信号に含まれる識別子とを比較する。比較部１３は、電気信号に含まれる識別子と当該比較情報とが互いに一致したことに応じて、送信部１２に当該電気信号を出力する。一方、比較部１３は、電気信号に含まれる識別子と当該比較情報とが互いに一致しないことに応じて、当該電気信号を破棄する。
【００３２】
記憶部１４には、通信相手である光送信装置１−２の識別子が、比較情報として予め記憶されている。
【００３３】
送信部１２は、比較部１３から入力された電気信号を光信号に変換し、後段の装置に転送する。
【００３４】
図５は、本発明の第２の実施形態における光受信装置１−１の動作例を示すフローチャートである。
【００３５】
分波部１６は、入力された波長多重信号光を分波して、入力部１５に対して、当該入力部１５に応じた所定の波長の光信号を出力する（Ｓ２０１）。
【００３６】
入力部１５は、入力された光信号を電気信号に変換し、比較部１３に出力する（Ｓ２０２）。
【００３７】
比較部１３は、記憶部１４に予め記憶されている識別子（比較情報）と、受信部１５から入力された電気信号に含まれる識別子とを比較し、互いの識別子が一致したことに応じて（Ｓ２０３のＹＥＳ）、送信部１２に当該電気信号を出力する（Ｓ２０４）。一方、比較部１３は、互いの識別子が一致しないことに応じて（Ｓ２０３のＮＯ）、当該電気信号を破棄する（Ｓ２０５）。
【００３８】
送信部１２は、比較部１３から入力された電気信号を光信号に変換し、後段の装置に出力する（Ｓ２０６）。
【００３９】
図６は、光受信装置１−１の他の構成例を示す図である。光受信装置１−１は、分波部１６に代えて、分岐部１７を備える。
【００４０】
分岐部１７は、伝送路２０から入力された波長多重信号光を分岐して、入力部１５に出力する。
【００４１】
入力部１５は、入力された波長多重信号光のうち所定の波長の光信号のみを選択的に受信して電気信号に変換し、比較部１３に出力する。ここで、所定の波長の光信号のみを選択的に受信する手段は、例えば、デジタルコヒーレント受信のように、受信する波長の光を波長多重信号光に干渉させて受信する手段である。
【００４２】
図７は、本発明の第２の実施形態における光受信装置１−１の他の動作例を示すフローチャートである。
【００４３】
分岐部１７は、入力された波長多重信号光を分岐して、入力部１５に当該波長多重信号光を出力する（Ｓ３０１）。
【００４４】
入力部１５は、入力された波長多重信号光のうち所定の波長の光信号のみを選択的に受信して電気信号に変換し、比較部１３に出力する（Ｓ３０２）。
【００４５】
なお、図７において、ステップ３０３（Ｓ３０３）乃至ステップ３０６（Ｓ３０６）における処理は、図５のステップ２０３（Ｓ２０３）乃至ステップ２０６（Ｓ２０６）における処理と同様な処理である。
【００４６】
上記のとおり、本発明の第２の実施形態の光受信装置１−１は、所定の波長の光信号に含まれる識別子と、記憶部１４に記憶している識別子（比較情報）とを比較し、互いの識別子が一致した場合に光信号を転送し、一致しない場合には当該光信号を破棄する。したがって、光受信装置１−１は、光信号の送信先が本来の送信先の装置でない場合は、当該光信号を当該後段の装置に転送しない。そのため、光信号が本来の送信先ではない装置に転送されることを防止でき、当該光信号に含まれる情報の秘匿性を確保できる。
【００４７】
＜第３の実施形態＞
本発明の第３の実施形態の概要について、図面を参照して説明する。
【００４８】
図８は、光受信装置１−１の構成例を示す図である。光受信装置１−１は、送信部１２と、比較部１３と、記憶部１４と、入力部１５、分波部１６、パターン生成部１８とを備える。なお、光受信装置１−１は、分波部１６の代わりに分岐部１７であってもよいが、以下では分波部１６の場合を例として説明する。
【００４９】
比較部１３は、記憶部１４に予め記憶されている識別子（比較情報）と、入力部１５から入力された電気信号に含まれる識別子とを比較する。
【００５０】
また、比較部１３は、電気信号に含まれる識別子と当該比較情報とが互いに一致する場合、送信部１２に当該電気信号を出力する。一方、比較部１３は、電気信号に含まれる識別子と当該比較情報とが互いに一致しない場合、当該一致しない旨の情報を含む通知信号をパターン生成部１８に出力する。
【００５１】
パターン生成部１８は、比較部１３から通知信号を受け取った場合、０及び１がランダムに配列されたダミーパターン、又は、０及び１が特定のパターンで配列された固定パターンを含む電気信号を生成して送信部１２に出力する。
【００５２】
送信部１２は、電気信号が比較部１３から入力された場合、比較部１３から入力された電気信号を光信号に変換して後段の装置に出力する。一方、送信部１２は、パターン生成部１８からダミーパターン又は固定パターンを含む電気信号が入力された場合には、パターン生成部１８から受信したダミーパターンまたは固定パターンを含む電気信号を光信号に変換し、後段の装置に出力する。
【００５３】
ここで、パターン生成部１８は、ダミーパターン及び固定パターンの生成に代えて、スクランブラとして、当該比較部１３から送信部１２に入力される電気信号のビット列をランダムに入れ替えてもよい。
【００５４】
図９は、本発明の第３の実施形態における光受信装置１−１の他の動作例を示すフローチャートである。
【００５５】
分波部１６は、入力された波長多重信号光を分波して、入力部１５に、当該入力部１５に応じた光信号を出力する（Ｓ４０１）。
【００５６】
入力部１５は、入力された光信号を電気信号に変換して、比較部１３に出力する（Ｓ４０２）。
【００５７】
比較部１３は、記憶部１４に予め記憶されている識別子（比較情報）と、受信部１５から入力された電気信号に含まれる識別子とを比較し、電気信号に含まれる識別子と当該比較情報とが互いに一致する場合（Ｓ４０３のＹＥＳ）、送信部１２に対して、当該電気信号を出力する（Ｓ４０４）。送信部１２は、比較部１３から入力された電気信号を光信号に変換し、後段の装置に出力する（Ｓ４０５）。
【００５８】
一方、比較部１３は、電気信号に含まれる識別子と当該比較情報とが互いに一致しない場合（Ｓ４０３のＮＯ）、当該一致しない旨の情報を含む通知信号をパターン生成部１８に出力する（Ｓ４０６）。パターン生成部１８は、比較部１３から通知信号を受け取った場合、０及び１がランダムに配列されたダミーパターン、又は、０及び１が特定のパターンで配列された固定パターンを含む電気信号を生成して送信部１２に出力する。（Ｓ４０７）。送信部１２は、電気信号が入力された場合、比較部１３から入力した電気信号を光信号に変換して後段の装置に出力する（Ｓ４０８）。
【００５９】
上記のとおり、本発明の第３の実施形態の光受信装置１−１は、比較部１３の比較結果が一致しない旨であった場合、入力された光信号に代えて、ダミーパターン、固定パターン、又はビット列をランダムに入れ替えた光信号を、後段の装置に出力する。そのため、光信号が本来の送信先ではない装置に転送されることを防止でき、当該光信号に含まれる情報の秘匿性を確保できる。
【００６０】
＜第４の実施形態＞
本発明の第４の実施形態について、図面を参照して説明する。
【００６１】
図１０は、光送信装置１−２の構成例を示す図である。光送信装置１−２は、受信部２１と出力部２３と合波部２５とを備える。
【００６２】
受信部２１は、所定の波長の光信号を受信する。また、出力部２３は、受信部２１が受信した所定の波長の光信号に、光送信装置１−２を一意に識別する識別子を含ませて送信する。なお、識別子は、出力部２３を一意に識別する識別子であってもよい。さらに、合波部２５は、識別子を含む光信号、及び受信部２１が受信した光信号と互いに異なる波長の光信号を合波して、伝送路２０に出力する。
【００６３】
図１１は、本発明の第４の実施形態における光送信装置１−２の動作例を示すフローチャートである。
【００６４】
受信部２１は、所定の波長の光信号を受信する（Ｓ５０１）。
【００６５】
出力部２３は、受信部２１が受信した所定の波長の光信号に、光送信装置１−２を一意に識別する識別子を含ませて送信する（Ｓ５０２）。そして、合波部２５は、識別子を含む光信号、及び受信部２１が受信した光信号と互いに異なる波長の光信号を合波して出力する（Ｓ５０３）。
【００６６】
上記のとおり、本発明の第４の実施形態の光送信装置１−２は、送信する光信号に、光送信装置１−２（又は出力部２３）を一意に識別する識別子を含めて送信する。したがって、送信された光信号を受信する光受信装置１−１は、当該光信号に含まれる識別子に応じて当該所定の波長の光信号を転送するか否かを決定することができ、当該光信号が本来の送信先ではない装置に転送されることを防止できる。
【００６７】
＜第５の実施形態＞
本発明の第５の実施形態の概要について、図面を参照して説明する。
【００６８】
図１２は、光送信装置１−２の構成例を示す図である。光送信装置１−２は、受信部２１と、出力部２３、挿入部２４と、合波部２５とを備える。
【００６９】
出力部２３は、受信部２１が受信した所定の波長の光信号に、挿入部２４から通知された識別子を含ませて、合波部２５に出力する。
【００７０】
挿入部２４は、出力部２３に対して、光送信装置１−２を一意に識別する識別子を通知する。なお、識別子は、出力部２３を一意に識別する識別子であってもよい。
【００７１】
合波部２５は、出力部２３から入力した光信号を、伝送路２０に送信する。なお、合波部２５は、複数の出力部２３から入力した互いに異なる波長の光信号を合波して、波長多重信号光として送信する。
【００７２】
図１３は、本発明の第５の実施形態における光送信装置１−２の動作例を示すフローチャートである。
【００７３】
受信部２１は、所定の波長の光信号を受信する（Ｓ６０１）。
【００７４】
出力部２３は、受信部２１が受信した所定の波長の光信号に、挿入部２４から通知された識別子を含ませて、合波部２５に出力する（Ｓ６０２）。
【００７５】
合波部２５は、識別子を含む光信号、及び受信部２１が受信した光信号と互いに異なる波長の光信号を合波して出力する（Ｓ６０３）。
【００７６】
上記のとおり、本発明の第５の実施形態の光送信装置１−２は、送信する光信号に、挿入部２４から通知された識別子を含ませて送信する。したがって、送信された光信号を受信する光受信装置１−１は、当該光信号に含まれる識別子に応じて当該所定の波長の光信号を転送するか否かを決定することができ、当該光信号が本来の送信先ではない装置に転送されることを防止できる。
【００７７】
＜第６の実施形態＞
本発明の第６の実施形態について、図面を参照して説明する。
【００７８】
図１４は、本発明の第６の実施形態における、通信システムの構成例を示す図である。
【００７９】
図１４に示すように、本発明の第６の実施形態における通信システムは、Ａ基地局１０−１、Ｂ基地局１０−２、Ｃ基地局１０−３及びＤ基地局１０−４（以下、特に区別する必要がない場合「基地局１０」と記載する）を含む。
【００８０】
基地局１０の各々は、隣接する基地局１０と伝送路２０を介して接続する。また、基地局１０の各々は、ＢＵ（光分岐装置）３０を介して互いに接続されている。
【００８１】
伝送路２０は、複数の光ファイバが束ねられて構成されている。
【００８２】
ＢＵ３０は、ＯＡＤＭ−ＢＵであり、伝送路２０に伝送される波長多重光信号のうち、所定の波長の光信号を挿入又は分岐（Ａｄｄ／Ｄｒｏｐ）する。
【００８３】
図１５は、本発明の第６の実施形態における端局装置４０の構成例を示す図である。
【００８４】
図１４に示すように、基地局１０は、端局装置４０と、クライアント装置５０とを含む。基地局１０の端局装置４０は、トランスポンダ（Ｔｒａｎｓｐｏｎｄｅｒ）４１−１〜４１−５（以下、特に区別する必要がない場合「トランスポンダ４１」と記載する）と、波長分離合波部５１とを備える
波長分離合波部５１は、複数のクライアント装置５０から受信した複数の光信号を波長多重し、ＷＤＭ信号として送信する。また、波長分離合波部５１は、対向する基地局１０からＷＤＭ信号を分波し、それぞれの波長（波長帯）ごとに、トランスポンダ４１に出力する。
【００８５】
トランスポンダ４１は、クライアント装置５０から受信した光信号に所定の処理を施して、波長分離合波部５１に出力する。また、トランスポンダ４１は、波長分離合波部５１から入力した光信号を、所定の条件に基づいて、クライアント装置５０に送信する。
【００８６】
図１６は、トランスポンダ４１の構成例を示す図である。図１６に示すように、トランスポンダ４１は、クライアントモジュール４２と、ＦｒａｍｅｒＬＳＩ４３と、挿入部４４と、ラインモジュール４５と、比較部４６と、記憶部４７とを備える。
【００８７】
まず、トランスポンダ４１が、光信号を送信する場合について説明する。
【００８８】
クライアントモジュール４２は、クライアント装置５０から受信した光信号を、電気信号に変換して、クライアント受信信号として、ＦｒａｍｅｒＬＳＩ４３に出力する。
【００８９】
ＦｒａｍｅｒＬＳＩ４３は、クライアントモジュール４２から入力したクライアント信号を、ライン信号用フレームに収容し、挿入部４４から取得したトランスポンダ４１を一意に識別するための識別子を格納して、ラインモジュール４５に出力する。ＦｒａｍｅｒＬＳＩ４３は、ライン信号用フレームのヘッダーの所定の領域に、識別子として、トランスポンダ４３のＭＡＣアドレスやＩＰアドレスを格納する。
【００９０】
挿入部４４は、ＦｒａｍｅｒＬＳＩ４３に対して、トランスポンダ４１を一意に識別する識別子を通知する。挿入部４４は、ＦｒａｍｅｒＬＳＩ４３からの要求に応じて、当該識別子を通知する。
【００９１】
ラインモジュール４５は、ＦｒａｍｅｒＬＳＩ４３の出力する電気信号（すなわち、ライン信号用フレーム）を、所定の波長の光信号に変換し、波長分離合波部５１に出力する。
【００９２】
続いて、トランスポンダ４１が、光信号を受信する場合について説明する。
【００９３】
ラインモジュール４５は、波長分離合波部５１から入力したライン受信信号（光信号）を、電気信号に変換して、ＦｒａｍｅｒＬＳＩ４３に出力する。
【００９４】
ＦｒａｍｅｒＬＳＩ４３は、ラインモジュール４５から入力したライン信号用フレームからクライアント信号を抽出し、電気信号としてクライアントモジュール４２に出力する。また、ＦｒａｍｅｒＬＳＩ４３は、ライン信号用フレームのヘッダーの所定の領域に格納された識別子を抽出して、当該抽出した識別子を、比較部４６に通知する。
【００９５】
比較部４６は、記憶部４７を参照して、ＦｒａｍｅｒＬＳＩ４３から通知された識別子と、記憶されている識別子（比較情報）とが互いに一致するか否かを判定する。すなわち、比較部４６は、トランスポンダ４１に入力された光信号（ライン信号用フレーム）が、自装置の通信相手（として設定されているトランスポンダ４１）から送信されたものか否かを判定する。比較部４６は、当該判定結果（一致する旨、又は、一致しない旨の情報を含む通知信号）を、クライアントモジュール４２に通知する。
【００９６】
記憶部４７には、通信相手となるトランスポンダ４１の識別子が、比較情報として記憶されている。本発明の第６の実施形態において、互いに通信しあうトランスポンダ４１の組は予め設定されており、所定の波長を用いて互いに通信する。図１７は、図１４に示す通信システムにおける、各基地局１０のトランスポンダ４１の接続関係と、使用される波長を示す表である。また、図１８は、図１４に示す通信システムにおいて、基地局１０の各々に備わるトランスポンダ４１と、当該トランスポンダ４１の識別子と、当該トランスポンダ４１の通信相手であるトランスポンダ４１の識別子とを示す表である。
【００９７】
クライアントモジュール４２は、ＦｒａｍｅｒＬＳＩ４３から入力した電気信号を光信号に変換して、クライアント信号としてクライアント装置５０に送信する。クライアントモジュール４２は、比較部４６から入力される判定結果に応じて、当該クライアント信号をクライアント装置５０に送信するか否かを決定する。具体的には、クライアントモジュール４２は、比較部４６から一致するとの判定結果（一致する旨の情報を含む通知信号）が入力された場合には、クライアント信号をクライアント装置５０に送信する。一方、クライアントモジュール４２は、比較部４６から一致しないとの判定結果（一致しない旨の情報を含む通知信号）が入力された場合には、クライアント信号を破棄する。
【００９８】
図１９及び図２０は、本発明の第６の実施形態におけるトランスポンダ４１の動作例を示すシーケンス図である。図１９は、トランスポンダ４１が、光信号を受信した場合のシーケンス図である。
【００９９】
ラインモジュール４５が、波長分離合波部５１から、光信号（ライン受信信号）の入力を受ける（Ｓ７０１）。ラインモジュール４５は、入力された光信号（ライン受信信号）を、電気信号（ライン信号用フレーム）に変換して、ＦｒａｍｅｒＬＳＩ４３に出力する（Ｓ７０２）。
【０１００】
ＦｒａｍｅｒＬＳＩ４３は、ラインモジュール４５から入力された電気信号（ライン信号用フレーム）からクライアント信号を抽出し、クライアント信号（電気信号）としてクライアントモジュール４２に出力する（Ｓ７０３）。また、ＦｒａｍｅｒＬＳＩ４３は、入力された電気信号（ライン信号用フレーム）のヘッダーに格納されている識別子を抽出して、比較部４６に通知する（Ｓ７０４）。
【０１０１】
比較部４６は、ＦｒａｍｅｒＬＳＩ４３から通知された識別子と、記憶されている通信相手のトランスポンダ４１の識別子（比較情報）とを比較し、両者が互いに一致するか否かを判定する（Ｓ７０５）。比較部４６は、判定結果をクライアントモジュール４２に通知する（Ｓ７０６）。
【０１０２】
クライアントモジュール４２は、比較部４６から通知された判定結果（一致する旨、又は、一致しない旨の情報を含む通知信号）に応じて、ＦｒａｍｅｒＬＳＩ４３から入力した電気信号（クライアント信号）を、光信号に変換して送信する、又は、当該電気信号（クライアント信号）を破棄する（Ｓ７０７）。具体的には、クライアントモジュール４２は、一致するとの判定結果（一致する旨の情報を含む通知信号）の場合には、入力された電気信号を光信号に変換して、クライアント装置５０に送信する。一方、クライアントモジュール４２は、一致しないとの判定結果（一致しない旨の情報を含む通知信号）の場合には、当該電気信号（クライアント信号）を破棄する。
【０１０３】
また、図２０は、トランスポンダ４１が、光信号を送信する場合のシーケンス図である。
【０１０４】
クライアントモジュール４２は、クライアント装置５０から、光信号を受信する（Ｓ８０１。クライアントモジュール４２は、クライアント装置５０から受信した光信号を、電気信号に変換して、クライアント受信信号として、ＦｒａｍｅｒＬＳＩ４３に出力する（Ｓ８０２）。
【０１０５】
挿入部４４は、ＦｒａｍｅｒＬＳＩ４３に対して、トランスポンダ４１の識別子を通知する（Ｓ８０３）。
【０１０６】
ＦｒａｍｅｒＬＳＩ４３は、クライアント受信信号を収容したライン信号用フレームに、挿入部４４から通知されたトランスポンダ４１の識別子を格納する（Ｓ８０４）。
【０１０７】
ＦｒａｍｅｒＬＳＩ４３は、ライン信号用フレーム（電気信号）を、ラインモジュール４５に出力する（Ｓ８０５）。
【０１０８】
ラインモジュール４５は、ＦｒａｍｅｒＬＳＩ４３の出力する電気信号（すなわち、ライン信号用フレーム）を、所定の波長の光信号に変換し、波長分離合波部５１に出力する（Ｓ８０６）。
【０１０９】
なお、本発明の第６の実施形態において、トランスポンダ４１は、図２１に示す構成であってもよい。
【０１１０】
図２１に示すトランスポンダ４１のＦｒａｍｅｒＬＳＩ４３は、ラインモジュール４５から入力したライン信号用フレームからクライアント信号を抽出し、電気信号として比較部４６に出力する。
【０１１１】
トランスポンダ４１の比較部４６は、記憶部４７に予め記憶されている識別子（比較情報）と、ＦｒａｍｅｒＬＳＩ４３から入力された電気信号に含まれる識別子とを比較し、識別子が互いに一致したことに応じて、クライアントモジュール４２に当該電気信号を出力する。一方、比較部４６は、識別子が互いに一致しないことに応じて、当該電気信号を破棄する。
【０１１２】
クライアントモジュール４２は、比較部４６から入力された電気信号を光信号に変換し、クライアント信号としてクライアント装置５０に送信する。
【０１１３】
上記のとおり、本発明の第６の実施形態において、トランスポンダ４１は、受信した信号が通信相手の装置から送信されたものか否かを判定し、判定の結果に基づいて、当該信号をクライアント装置５０へ送信するか否かを決定している。判定の結果、通信相手の装置から送信されたものではないと判定された信号は破棄され、クライアント装置５０に送信されなくなる。
【０１１４】
したがって、本発明の第６の実施形態において、トランスポンダ４１は、適切な（予め設定されている）通信相手の装置から受信した信号のみを、クライアント装置５０に送信することが可能となる。すなわち、本発明の第６の実施形態のトランスポンダ４１は、自装置の通信相手の装置ではない装置から受信した光信号を破棄し、クライアント装置５０には転送しない。したがって、光信号が、本来の送信先装置ではないクライアント装置５０に転送されることを防止し、当該クライアント装置５０が光信号を受信することがないので、当該光信号に含まれる情報の秘匿性を確保できる。
【０１１５】
＜第７の実施形態＞
本発明の第７の実施形態について、図面を参照して説明する。
【０１１６】
図２２は、本発明の第７の実施形態における、トランスポンダ４１の構成例を示す図である。図２２に示すように、トランスポンダ４１は、パターン生成部４８を備える。
【０１１７】
まず、トランスポンダ４１が、光信号を受信する場合について、説明する。
【０１１８】
比較部４６は、記憶部４７を参照して、ＦｒａｍｅｒＬＳＩ４３から通知された識別子と、記憶されている識別子（比較情報）とが互いに一致するか否かを判定する。比較部４６は、当該判定結果（一致する旨、又は、一致しない旨の情報を含む通知信号）を、パターン生成部４８に通知する。
【０１１９】
パターン生成部４８は、比較部４６から一致する旨の通知信号を受けた場合には、ＦｒａｍｅｒＬＳＩ４３から入力した電気信号を、そのままクライアントモジュール４２に出力する。一方、パターン生成部４８は、比較部４６から一致しない旨の通知信号を受けた場合には、電気信号に代えて、０及び１がランダムに配列されたダミーパターン、又は、０及び１が特定のパターンに配列された固定パターンを含む電気信号、又は、ビット列がランダムに入れ替えられた電気信号をクライアントモジュール４２に出力する。
【０１２０】
クライアントモジュール４２は、ＦｒａｍｅｒＬＳＩ４３から入力した電気信号を、光信号に変換して、クライアント信号としてクライアント装置５０に送信する。
【０１２１】
続いて、トランスポンダ４１が、光信号を送信する場合について説明する。
【０１２２】
ＦｒａｍｅｒＬＳＩ４３は、ラインモジュール４５から入力したライン信号用フレームからクライアント信号を抽出し、電気信号としてクライアントモジュール４２に出力する。その際に、ＦｒａｍｅｒＬＳＩ４３は、ライン信号用フレームのヘッダーの所定の領域に格納された識別子を抽出して、当該抽出した識別子を比較部４６に通知する。
【０１２３】
さらに、ＦｒａｍｅｒＬＳＩ４３は、当該ライン信号用フレームのヘッダーの所定の領域に格納された、対向装置における光信号の処理結果（すなわち、光信号を後段の装置へ転送したか破棄したか）に関する情報も抽出する。
【０１２４】
ＦｒａｍｅｒＬＳＩ４３は、抽出した光信号の処理結果（対向装置における比較部４６の判定結果）を、パターン生成部４８に通知する。
【０１２５】
パターン生成部４８は、クライアントモジュール４２から、クライアント受信信号（電気信号）の入力を受ける。パターン生成部４８は、ＦｒａｍｅｒＬＳＩ４３から通知された処理結果に応じて、入力されたクライアント受信信号に対して、所定の方式で符号変換するか否かを決定する。また、パターン生成部４８は、出力する信号を、情報を含まないダミー信号に置き換えるか否かを決定する。
【０１２６】
パターン生成部４８は、処理を施すとの決定に応じて、クライアント受信信号に対して当該処理を施した後に、ＦｒａｍｅｒＬＳＩ４３に出力する。一方、パターン生成部４８は、処理を施さないとの決定に応じて、クライアント受信信号をそのままＦｒａｍｅｒＬＳＩ４３に出力する。
【０１２７】
パターン生成部４８は、例えば、ＦｒａｍｅｒＬＳＩ４３から、対向装置の比較部４６の判定結果（一致する旨、又は、一致しない旨の情報を含む通知信号）の通知を受ける。
パターン生成部４８は、当該判定結果が「識別子が一致しない」というものであった場合、送信する信号に所定の処理を施す。パターン生成部４８は、例えばスクランブラとして、クライアント受信信号を所定の方式で符号変換し、通信相手の装置が復号できないようにして、当該クライアント受信信号をＦｒａｍｅｒＬＳＩ４３に出力する。または、パターン生成部４８は、例えば、出力する信号を、例えば情報を含まないダミー信号に置き換えて、当該クライアント受信信号をＦｒａｍｅｒＬＳＩ４３に出力する。一方、パターン生成部４８は、当該判定結果が「識別子が一致する」というものであった場合。クライアント受信信号をそのままＦｒａｍｅｒＬＳＩ４３に出力する。
【０１２８】
さらに、トランスポンダ４１が、当該光信号の処理結果（すなわち、識別子が一致したか否か）を、対向装置へ通知するための処理について説明する。
【０１２９】
本発明の第７の実施形態において、比較部４６は、ＦｒａｍｅｒＬＳＩ４３から通知された識別子と、記憶されている通信相手のトランスポンダ４１の識別子とを比較し、両者が互いに一致するか否かを判定する。比較部４６は、判定結果（一致する旨、又は、一致しない旨の情報を含む通知信号）を、クライアントモジュール４２及びＦｒａｍｅｒＬＳＩ４３に通知する。
【０１３０】
比較部４６からＦｒａｍｅｒＬＳＩ４３に通知された判定結果（一致する旨、又は、一致しない旨の情報を含む通知信号）は、光信号の送信元の装置（すなわち、対向装置）へ通知される。ＦｒａｍｅｒＬＳＩ４３は、判定結果を対向装置に通知するために、ラインモジュール４５に出力するライン信号用フレーム（対向装置に送信するフレーム）のヘッダーの所定の領域に、当該判定結果を格納する。また、ＦｒａｍｅｒＬＳＩ４３は、伝送路２０以外の通信路（図示していない）を介して、対向装置（通信相手のトランスポンダ４１）へ通知してもよい。
【０１３１】
図２３は、本発明の第７の実施形態におけるトランスポンダ４１の動作例を示すシーケンス図である。
【０１３２】
ラインモジュール４５が、波長分離合波部５１から、光信号（ライン受信信号）の入力を受ける（Ｓ１００１）。ラインモジュール４５は、入力された光信号（ライン受信信号）を、電気信号（ライン信号用フレーム）に変換して、ＦｒａｍｅｒＬＳＩ４３に出力する（Ｓ１００２）。
【０１３３】
ＦｒａｍｅｒＬＳＩ４３は、ラインモジュール４５から入力した電気信号（ライン信号用フレーム）からクライアント信号を抽出し、クライアント信号（電気信号）としてクライアントモジュール４２に出力する（Ｓ１００３）。また、ＦｒａｍｅｒＬＳＩ４３は、入力された電気信号（ライン信号用フレーム）のヘッダーに格納されている識別子を抽出して、比較部４６に通知する（Ｓ１００４）。さらに、ＦｒａｍｅｒＬＳＩ４３は、当該ライン信号用フレームのヘッダーの所定の領域に格納された、対向装置における光信号の処理結果（識別子が一致したか否か）に関する情報を抽出し、パターン生成部４８に通知する（Ｓ１００５）。なお、図２３では、当該処理結果の情報が、対向装置（通信装置のトランスポンダ４１）における比較部４６の判定結果である場合の例を示している。
【０１３４】
比較部４６は、ＦｒａｍｅｒＬＳＩ４３から通知された識別子と、記憶されている識別子とを比較し、両者が互いに一致するか否かを判定する（Ｓ１００６）。比較部４６は、判定結果（一致する旨、又は、一致しない旨の情報を含む通知信号）をパターン生成部４８に通知する（Ｓ１００７）。また、比較部４６は、当該判定結果（一致する旨、又は、一致しない旨の情報を含む通知信号）を、ＦｒａｍｅｒＬＳＩ４３にも通知する（Ｓ１００８）。
【０１３５】
パターン生成部４８は、比較部４６から通知された判定結果（一致する旨、又は、一致しない旨の情報を含む通知信号）に応じて、ＦｒａｍｅｒＬＳＩ４３から入力された電気信号（クライアント信号）をそのまま、又は、所定の処理を施して、クライアントモジュール４２に出力する（Ｓ１００９）。
【０１３６】
クライアントモジュール４２は、パターン生成部４８から入力された電気信号（クライアント信号）を光信号に変換して、クライアント装置５０に送信する（Ｓ１０１０）。
【０１３７】
クライアントモジュール４２は、クライアント装置５０から、光信号を受信する（Ｓ１０１１）。クライアントモジュール４２は、クライアント装置５０から受信した光信号を、電気信号に変換して、クライアント受信信号として、パターン生成部４８に出力する（Ｓ１０１２）。
【０１３８】
パターン生成部４８は、ステップ１００５（Ｓ１００５）で通知された判定結果（一致する旨、又は、一致しない旨の情報を含む通知信号）に応じて、入力されたクライアント受信信号をそのまま、又は、所定の処理を施して（Ｓ１０１３）、ＦｒａｍｅｒＬＳＩ４３に出力する（Ｓ１０１４）。
【０１３９】
挿入部４４は、ＦｒａｍｅｒＬＳＩ４３に対して、トランスポンダ４１の識別子を通知する（Ｓ１０１５）。
【０１４０】
ＦｒａｍｅｒＬＳＩ４３は、クライアント受信信号を収容したライン信号用フレームに、挿入部４４から通知されたトランスポンダ４１の識別子、及び、ステップ１００８（Ｓ１００８）で通知された判定結果に関する情報を格納する（Ｓ１０１６）。
【０１４１】
ＦｒａｍｅｒＬＳＩ４３は、ライン信号用フレーム（電気信号）を、ラインモジュール４５に出力する（Ｓ１０１７）。
【０１４２】
ラインモジュール４５は、ＦｒａｍｅｒＬＳＩ４３の出力する電気信号（すなわち、ライン信号用フレーム）を、所定の波長の光信号に変換し、波長分離合波部５１に出力する（Ｓ１０１８）。
【０１４３】
なお、本発明の第７の実施形態において、トランスポンダ４１は、図２４に示す構成であってもよい。
【０１４４】
図２４に示すトランスポンダ４１のＦｒａｍｅｒＬＳＩ４３は、ラインモジュール４５から入力したライン信号用フレームからクライアント信号を抽出し、電気信号として比較部４６に出力する。
【０１４５】
比較部４６は、記憶部４７に予め記憶されている識別子（比較情報）と、ＦｒａｍｅｒＬＳＩ４３から入力された電気信号に含まれる識別子とを比較し、識別子が互いに一致したことに応じて、クライアントモジュール４２に当該電気信号を出力する。
【０１４６】
一方、比較部４６は、識別子が互いに一致しない場合、当該一致しない旨の情報を含む通知信号をパターン生成部４８に出力する。
【０１４７】
パターン生成部４８は、比較部４６から通知信号を受け取った場合、ダミーパターン又は固定パターンを含む電気信号を生成してクライアントモジュール４２に出力する。
【０１４８】
ここで、パターン生成部４８は、ダミーパターン及び固定パターンの生成に代えて、スクランブラとして、当該比較部４６からクライアントモジュール４２に入力される電気信号のビット列をランダムに入れ替えてもよい。
【０１４９】
クライアントモジュール４２は、比較部４６から電気信号が入力された場合、比較部４６から入力された電気信号を光信号に変換して、クライアント信号としてクライアント装置５０に出力する。一方、送信部１２は、パターン生成部４８からダミーパターン又は固定パターンを含む電気信号が入力された場合には、パターン生成部４８から受信したダミーパターンまたは固定パターンを含む電気信号を光信号に変換し、クライアント装置５０に出力する。
【０１５０】
上記のとおり、本発明の第７の実施形態では、パターン生成部４８が、出力する信号に対して、所定の条件に応じて、所定の処理を施す。光受信装置１−１が通信相手から送信された光信号を破棄するだけではなく、光送信装置１−２が送信する光信号に対して所定の処理が施されているので、当該光信号の秘匿性を二重化することができ、当該光信号に含まれる情報の秘匿性を高めることができる。
【０１５１】
＜第８の実施形態＞
本発明の第８の実施形態について、図面を参照して説明する。
【０１５２】
本発明の第８の実施形態では、トランスポンダ４１が暗号化手段（暗号部６１及び復号部６２）を備え、送信する光信号に対して暗号化処理を行う。そして、自装置の通信相手（として設定されているトランスポンダ４１）だけが、暗号化された光信号を復号できるようにして、当該光信号に含まれる情報の秘匿性を確保する。
【０１５３】
図２５は、本発明の第８の実施形態におけるトランスポンダ４１の構成例を示す図である。図２５に示すように、トランスポンダ４１は、暗号部６１と、復号部６２とを備える。
【０１５４】
まず、トランスポンダ４１が、光信号を暗号化して送信するための処理について説明する。
【０１５５】
本発明の第８の実施形態において、暗号部６１は、クライアントモジュール４２から入力されたクライアント信号（電気信号）を、暗号化する。
【０１５６】
暗号部６１が実行する暗号化方式は、共通鍵暗号方式である。共通鍵暗号方式は、暗号化と復号に互いに共通の鍵が用いられる方式である。暗号部６１が共通鍵暗号方式によりクライアント信号を暗号化する場合、自装置のトランスポンダ４１と、通信相手の装置のトランスポンダ４１とが、共通の鍵（以下、「共通鍵」を記載する。）を保持している。共通鍵により暗号化された信号は、共通鍵を有する通信相手の装置でしか復号できないため、通信相手でない装置が当該暗号化された信号を受信しても、当該信号に含まれる情報を抽出することができず、当該信号に含まれる情報の秘匿性を確保できる。
【０１５７】
または、暗号部６１が実行する暗号化方式として、共通鍵暗号方式に代えて、公開鍵暗号方式を用いてもよい。公開鍵暗号方式は、暗号化と復号とに互いに別個の鍵が用いられる方式である。暗号化に用いられる鍵（公開鍵）は公開されるが、復号に用いられる鍵（秘密鍵）は復号する装置だけによって保持される。公開鍵によって暗号化された信号は、秘密鍵でしか復号できないため、秘密鍵を保持しない装置では、暗号化された情報を復号できず、当該信号の秘匿性を確保できる。
【０１５８】
暗号部６１が公開鍵暗号方式によりクライアント信号を暗号化する場合、自装置のトランスポンダ４１は、通信相手の装置のトランスポンダ４１から予め公開鍵を取得する。公開鍵によって暗号化された信号は、秘密鍵を保持する通信相手の装置しか復号できないため、本来の通信相手の装置ではない装置が当該暗号化された信号を受信しても、当該信号に含まれる情報の秘匿性を確保することができる。
【０１５９】
まず、トランスポンダ４１が、暗号化された光信号を受信した場合の処理について説明する。
【０１６０】
復号部６２は、ＦｒａｍｅｒＬＳＩ４３から入力された電気信号（クライアント信号）の復号を実行する。復号部６２は、共通鍵暗号方式の場合には、共通鍵を用いて、クライアント信号の復号を実行する。復号部６２は、公開鍵暗号方式の場合には、秘密鍵を用いて、クライアント信号の復号を実行する。
【０１６１】
復号部６２は、復号した信号に含まれる識別子を、比較部４６に通知する。また、復号部６２は、クライアント信号を、クライアントモジュール４２又は比較部４６に出力する。
【０１６２】
比較部４６は、復号部６２から通知された識別子と、記憶されている通信相手のトランスポンダ４１の識別子とを比較し、両者が互いに一致するか否かを判定する。比較部４６は、復号部６２がクライアント信号を復号できた場合であって、識別子が通信相手の装置のトランスポンダ４１の識別子であった場合に、両者の識別子が互いに一致すると判定する。比較部４６は、それ以外の場合は、一致しないと判定する。比較部４６は、判定結果（一致する旨、又は、一致しない旨の情報を含む通知信号）を、クライアントモジュール４２及びＦｒａｍｅｒＬＳＩ４３に通知する。
【０１６３】
クライアントモジュール４２は、復号部６２又は比較部４６から出力されたクライアント信号をクライアント装置５０に送信する。
【０１６４】
続いて、トランスポンダ４１が、光信号を送信する場合について説明する。
【０１６５】
本発明の第８の実施形態において、暗号部６１は、クライアントモジュール４２から入力されたクライアント受信信号（電気信号）を暗号化する。暗号部６１は、共通鍵暗号方式の場合には、共通鍵を用いて、クライアント受信信号を暗号化する。暗号部６１は、公開鍵暗号方式の場合には、通信相手の装置から予め取得した公開鍵を用いて、クライアント受信信号を暗号化する。
【０１６６】
暗号部６１は、暗号化したクライアント受信信号を、ＦｒａｍｅｒＬＳＩ４３に出力する。
【０１６７】
図２６は、本発明の第８の実施形態におけるトランスポンダ４１の動作例を示すシーケンス図である。
【０１６８】
ラインモジュール４５が、波長分離合波部５１から、光信号（ライン受信信号）の入力を受ける（Ｓ１１０１）。ラインモジュール４５は、入力された光信号（ライン受信信号）を、電気信号（ライン信号用フレーム）に変換して、ＦｒａｍｅｒＬＳＩ４３に出力する（Ｓ１１０２）。
【０１６９】
ＦｒａｍｅｒＬＳＩ４３は、ラインモジュール４５から入力した電気信号（ライン信号用フレーム）からクライアント信号を抽出し、クライアント信号（電気信号）として復号部６２に出力する（Ｓ１１０３）。
【０１７０】
復号部６２は、ＦｒａｍｅｒＬＳＩ４３から入力されたクライアント信号の復号を実行する（Ｓ１１０４）。復号部６２は、復号した電気信号をクライアントモジュール４２に通知する（Ｓ１１０５）とともに、当該復号した信号に含まれる識別子をクライアントモジュール４２に通知する（Ｓ１１０６）。
【０１７１】
比較部４６は、復号部６２から通知された識別子と、記憶されている識別子（比較情報）とを比較し、両者が互いに一致するか否かを判定する（Ｓ１１０７）。比較部４６は、判定結果（一致する旨、又は、一致しない旨の情報を含む通知信号）をクライアントモジュール４２に通知するとともに（Ｓ１１０８）、暗号部６１にも通知する（Ｓ１１０９）。
【０１７２】
クライアントモジュール４２は、比較部４６から通知された判定結果（一致する旨、又は、一致しない旨の情報を含む通知信号）に応じて、復号部６２から入力した電気信号（クライアント信号）を、光信号に変換して送信する、又は、当該電気信号（クライアント信号）を破棄する（Ｓ１１１０）。
【０１７３】
クライアントモジュール４２は、クライアント装置５０から、光信号を受信する（Ｓ１１１１）。クライアントモジュール４２は、クライアント装置５０から受信した光信号を、電気信号に変換して、クライアント受信信号として、暗号部６１に出力する（Ｓ１１１２）。
【０１７４】
暗号部６２は、クライアントモジュール４２から入力されたクライアント受信信号（電気信号）を暗号化し（Ｓ１１１３）、ＦｒａｍｅｒＬＳＩ４３に出力する（Ｓ１１１４）。
【０１７５】
挿入部４４は、ＦｒａｍｅｒＬＳＩ４３に対して、トランスポンダ４１の識別子を通知する（Ｓ１１１５）。
【０１７６】
ＦｒａｍｅｒＬＳＩ４３は、クライアント受信信号を収容したライン信号用フレームに、挿入部４４から通知されたトランスポンダ４１の識別子を格納する（Ｓ１１１６）。
【０１７７】
ＦｒａｍｅｒＬＳＩ４３は、ライン信号用フレーム（電気信号）を、ラインモジュール４５に出力する（Ｓ１１１７）。
【０１７８】
ラインモジュール４５は、ＦｒａｍｅｒＬＳＩ４３の出力する電気信号（すなわち、ライン信号用フレーム）を、所定の波長の光信号に変換し、波長分離合波部５１に出力する（Ｓ１１１８）。
【０１７９】
上記のとおり、本発明の第８の実施形態では、トランスポンダ４１が暗号化手段（暗号部６１及び復号部６２）を備え、送信する光信号に対して暗号化処理を行う。そして、自装置の通信相手（として設定されているトランスポンダ４１）だけが、暗号化された光信号を復号できるようにすることにより、当該光信号に含まれる情報の秘匿性を確保できる。
【０１８０】
＜第９の実施形態＞
本発明の第９の実施形態について、図面を参照して説明する。
【０１８１】
本発明の第９の実施形態では、一部の伝送路２０に障害が発生し、一部の基地局からの光信号が消失した場合に、ＢＵ（光分岐装置）３０が経路を切り替えて、当該消失した光信号を他の基地局からの光信号によって補償する。
【０１８２】
伝送路２０を伝搬する光信号のトータルパワーは一定になるように設定されており、伝送路２０の切断等によって光信号の一部の波長成分が消失した場合には、当該光信号の他の波長成分が増幅されることによって、当該光信号のトータルパワーが一定に保たれる。
【０１８３】
しかし、光信号の特定の波長成分のパワーだけを大きくすることによって、当該パワーが所定の値以上になると、光ファイバの非線形効果によって、光信号の波形の劣化等を要因として光スペクトルに変化を生じさせ、当該光信号の伝送品質を劣化させてしまう。
【０１８４】
そこで、本発明の第９の実施形態では、一部の基地局からの光信号が遮断され、伝送路２０で搬送される光信号の一部の波長成分が消失した場合、当該消失した波長成分が、他の基地局からの光信号で補償される。これによって、光信号の特定の波長成分のパワーだけが大きくなることが防止され、当該光信号の伝送品質の劣化が抑制される。
【０１８５】
一方で、本発明の第９の実施形態では、受信側のトランスポンダ４１が、本来の通信相手の装置ではない装置からの光信号を破棄するため、当該補償のために用いた光信号は、当該トランスポンダ４１で破棄される。そのため、当該補償に用いた光信号の本来の送信先の装置ではないクライアント装置５０が、当該光信号を受信することはない。したがって、本発明の第９の実施形態では、伝送路２０で伝搬される光信号について消失した一部の波長成分を補償できるとともに、補償に用いられた光信号がクライアント装置５０に受信されることを防ぐ。
【０１８６】
図２７は、本発明の第９の実施形態において、伝送路２０に障害が生じる前の通信システムの構成例を示す図である。図２７に示すように、各基地局１０は、ＢＵ３０を介して、対向する基地局１０と互いに接続されている。
【０１８７】
図２８は、図２７に示す通信システムのＡ基地局１０−１とＢＵ３０との間の区間、及びＢＵ３０とＢ基地局１０−２との間の区間を伝送される光信号を示す表である。伝送路２０で障害が生じていないので、Ａ基地局１０−１とＢＵ３０との間の区間、及びＢＵ３０とＢ基地局１０−２との間の区間では、どちらの区間でも各基地局の５つの組のトランスポンダ４１がそれぞれ通信を行っている。
【０１８８】
図２９は、本発明の第９の実施形態において、一部の伝送路２０に障害が生じ、一部の基地局１０からの光信号が消失した場合の通信システムの構成例である。
【０１８９】
図２９には、例えば、Ｃ基地局及びＤ基地局とＢＵとの間の伝送路２０−２及び２０−３に障害が生じ、Ｃ基地局及びＤ基地局からＢＵへの光信号が消失した場合の通信システムの例が示されている。具体的には、Ａ基地局１０−１とＢＵ３０との間の区間、及びＢＵ３０とＢ基地局１０−２との間の区間で伝送される光信号において、Ａ基地局１０−１とＣ基地局１０−３との間、及びＢ基地局１０−２とＤ基地局１０−４間との間で送受信されていた光信号の波長成分がそれぞれ消失してしまう。
【０１９０】
図３０は、図２９に示す通信システムのＡ基地局１０−１とＢＵ３０との間の区間、及びＢＵ３０とＢ基地局１０−２との間の区間において、光信号を送受信しているトランスポンダ４１の接続関係を示す表である。上述したように、Ｃ基地局及びＤ基地局とＢＵとの間の伝送路２０に障害が生じたことにより、Ａ基地局１０−１とＣ基地局１０−２との間の接続、及び、Ｂ基地局１０−２とＤ基地局１０−４との間の接続が切断する。そのため、図３０に示すように、Ａ基地局１０−１とＢＵ３０との間の区間、及びＢＵ３０とＢ基地局１０−２との間の区間では、Ａ基地局１０−１とＢ基地局１０−２との間の通信だけが残ることになる。
【０１９１】
しかしながら、図２９及び図３０の状態（波長多重された光信号において、一部の波長成分が消失した状態）で伝送を続けられた光信号の伝送品質は、上述したように、劣化している。そこで、本発明の第９の実施形態では、ＢＵ３０が、経路を切り替えることにより、当該消失した光信号を他の基地局からの光信号によって補償する。
【０１９２】
本発明の第９の実施形態において、ＢＵ３０は、Ａ基地局１０−１のトランスポンダ４１−３−Ａ、４１−４−Ａ及び４１−５−Ａから送信された光信号が、Ｂ基地局１０−２のトランスポンダ４１−３−Ｂ、４１−４−Ｂ及び４１−５−Ｂで受信されるように、経路を切り替える。
【０１９３】
図３１は、ＢＵ３０が経路を切り替えた後のＡ基地局１０−１とＢＵ３０との間の区間、及びＢＵ３０とＢ基地局１０−２との間の区間において、光信号を送受信しているトランスポンダ４１の接続関係を示す表である。ＢＵ３０が経路を切り替えたことで、Ａ基地局１０−１のトランスポンダ４１のうち、Ｃ基地局１０−３のトランスポンダ４１との間で送受信していた光信号が、Ｂ基地局１０−２のトランスポンダ４１に転送されるようになり、消失した光信号が補償される。また、Ｂ基地局１０−１のトランスポンダ４１のうち、Ｄ基地局１０−３のトランスポンダ４１との間で送受信していた光信号が、Ａ基地局１０−２のトランスポンダ４１に転送されるようになり、消失した光信号が補償される。
【０１９４】
受信側のトランスポンダ４１は、本来の通信相手の装置ではない装置からの光信号を破棄する。そのため、補償のために用いた光信号は、受信側のトランスポンダ４１において破棄される。したがって、クライアント装置５０が、補償に用いた光信号を受信することはない。
【０１９５】
例えば、Ａ基地局１０−１のトランスポンダ４１−３−Ａから送信された光信号は、補償のために用いられ、Ｂ基地局１０−２のトランスポンダ４１−３−Ｂで受信される。Ｂ基地局１０−２のトランスポンダ４１−３−Ｂの本来の通信相手の装置は、Ｄ基地局１０−４のトランスポンダ４１−１−Ｄである。したがって、Ｂ基地局１０−２のトランスポンダ４１−３−Ｂは、受信した光信号に格納されている識別子が、当該トランスポンダ４１−１−Ｄの識別子でないことに基づいて、当該受信した光信号を破棄する。このように、Ｂ基地局１０−２のトランスポンダ４１−３−Ｂは、補償に用いられた光信号（Ａ基地局１０−１のトランスポンダ４１−３−Ａから送信された光信号）を、クライアント装置５０に送信しない。
【０１９６】
本発明の第９の実施形態では、上述した通り、伝送路２０に障害が発生し、一部の基地局からの光信号が消失した場合に、ＢＵ３０が経路を切り替えて、当該消失した光信号を他の基地局からの光信号によって補償する。これによって、光信号の特定の波長成分のパワーだけが大きくなることを防止し、当該光信号の伝送品質の劣化を抑制する。そして、本発明の第９の実施形態では、受信側のトランスポンダ４１が、補償のために用いた光信号を破棄し、クライアント装置５０が当該補償に用いた光信号を受信することを防止する。したがって、本願発明の第９の実施形態では、伝送路２０を搬送する光信号について消失した一部の波長成分を補償できるとともに、補償に用いた光信号がクライアント装置５０に受信されることを防ぐことができる。
【０１９７】
＜第１０の実施形態＞
本発明の第１０の実施形態について、図面を参照して説明する。
【０１９８】
図３２は、本発明の第１０の実施形態における光通信システムの構成例である。図３２に示すように、光通信システムは、光受信装置１−１と、光送信装置１−２と、光送受信装置１−３と、伝送路２０と、ＢＵ３０と、ＥＭＳ（Ｅｌｅｍｅｎｔ  Ｍａｎａｇｅｍｅｎｔ  Ｓｙｓｔｅｍ）７０とを含む。
【０１９９】
ＥＭＳ７０は、光通信システムのネットワーク管理を行う装置であり、光通信システムに含まれる装置から光信号の通信経路に関する情報を収集する。ＥＭＳ７０は、収集した通信経路に関する情報に基づいて、伝送路２０で生じた障害を検知し、ＢＵ３０に対して経路の切り替えを要求する。ＥＭＳ７０は、図２９のようにＣ基地局及びＤ基地局とＢＵとの間の伝送路２０に障害が生じた場合、Ａ基地局１０−１のトランスポンダ４１−３−Ａ、４１−４−Ａ及び４１−５−Ａから送信される光信号が、Ｂ基地局１０−２のトランスポンダ４１−３−Ｂ、４１−４−Ｂ及び４１−５−Ｂで受信されるように、経路を切り替えることをＢＵ３０に要求する。
【０２００】
また、ＥＭＳ７０は、伝送路２０で生じた障害を検知したことに応じて、光送信装置１−２に含まれるトランスポンダ４１のパターン生成部４８に対し、光信号に所定の処理を施すことを要求する。ＥＭＳ７０は、図２９のようにＣ基地局及びＤ基地局とＢＵとの間の伝送路２０に障害が生じた場合、Ａ基地局１０−１のトランスポンダ４１−３−Ａ、４１−４−Ａ及び４１−５−Ａのパターン生成部４８に対して、光信号に所定の処理を施すことを要求する。
【０２０１】
ＥＭＳ７０から要求を受けたパターン生成部４８は、ＥＭＳ７０からの要求に応じて、入力された電気信号に代えて、０及び１がランダムに配列されたダミーパターン、０及び１が特定のパターンで配列された固定パターンを含む電気信号、又はビット列がランダムに入れ替えられた電気信号をラインモジュール４２に出力する。
【０２０２】
また、ＥＭＳ７０は、ＢＵ３０が経路を切り替えた場合に（伝送路２０で生じた障害を検知した場合に）、光受信装置１−１に含まれるトランスポンダ４１のパターン生成部４８に対し、０及び１がランダムに配列されたダミーパターン、０及び１が特定のパターンで配列された固定パターンを含む電気信号、又はビット列がランダムに入れ替えられた電気信号をクライアントモジュール４２に出力することを要求する。
【０２０３】
なお、ＥＭＳ７０は、ＢＵ３０が経路を切り替えた場合に（伝送路２０で生じた障害を検知した場合に）、光受信装置１−１に含まれるトランスポンダ４１に対し、光信号（又は、電気信号）を破棄すること（光信号を送信しないこと）を要求してもよい。
【０２０４】
上記のとおり、本発明の第１０の実施形態では、ＥＭＳ７０が、ネットワーク管理を行っており、ＢＵ３０に経路を切り替えることや、光送信装置１−２に光信号に所定の処理を施して送信することを要求する。したがって、ＢＵ３０や光受信装置１−１、光送信装置１−２が伝送路２０の障害の検知をできない場合であっても、伝送路２０で搬送される光信号について消失した一部の波長成分を補償できるとともに、補償に用いた光信号がクライアント装置５０に受信されることを防ぐことができる。
【０２０５】
＜第１１の実施形態＞
本発明の第１１の実施形態について、説明する。第１１の実施形態において、光伝送装置１、端局装置４０又はトランスポンダ４１のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。なお、本発明の第１１の実施形態において、該ソフトウェア（プログラム）を実行する装置は、光伝送装置１、端局装置４０又はトランスポンダ４１に限られず、どのような装置であってもよい。
【０２０６】
本発明の第１１の実施形態において、光伝送装置１、端局装置４０又はトランスポンダ４１は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。光伝送装置１、端局装置４０又はトランスポンダ４１が取得するプログラム、又は、該プログラムを記憶した記憶媒体は、本発明を構成することになる。なお、該ソフトウェア（プログラム）は、例えば、光伝送装置１、端局装置４０又はトランスポンダ４１に含まれる所定の記憶部に、予め記憶されていてもよい。
【０２０７】
光伝送装置１、端局装置４０又はトランスポンダ４１のコンピュータ、ＣＰＵ又はＭＰＵ等は、取得したソフトウェア（プログラム）のプログラムコードを読み出して実行する。したがって、上述した各実施形態におけるノード１（オープンフロースイッチ）又は制御装置３（オープンフローコントローラ）の処理と同一の処理を実行する。
【０２０８】
本発明の第１１の実施形態によれば光伝送装置１、端局装置４０又はトランスポンダ４１のコンピュータ、ＣＰＵ又はＭＰＵ等に実現するためのプログラムといった用途に適用できる。
【０２０９】
以上、本発明の実施形態を説明したが、本発明は、上記したそれぞれの実施形態に限定されるものではない。本発明は、各実施形態の変形・置換・調整に基づいて実施できる。
また、本発明は、各実施形態を任意に組み合わせて実施することもできる。即ち、本発明は、本明細書の全ての開示内容、技術的思想に従って実現できる各種変形、修正を含む。
【０２１０】
上記の実施形態の一部又は全部は、以下の付記のようにも記載されうるが、以下には限られない。
【０２１１】
［付記１］
波長多重信号光を入力する受信部と、
入力された前記波長多重信号光のうち、所定の波長の光信号に含まれる識別子に応じて、前記所定の波長の光信号を転送する送信部と、
を備えることを特徴とする光受信装置。
【０２１２】
［付記２］
比較情報を予め記憶する記憶部と、
前記識別子と、前記比較情報とが互いに一致するか否かを判定する比較部と、をさらに含み、
前記送信部は、前記比較部が一致すると判定した場合に、前記所定の波長の光信号を転送することを特徴とする付記１に記載の光受信装置。
【０２１３】
［付記３］
前記送信部は、前記比較部が一致しないと判定した場合に、前記所定の波長の光信号を破棄することを特徴とする付記１又は２に記載の光受信装置。
【０２１４】
［付記４］
所定のパターンを生成するパターン生成部をさらに含み、
前記送信部は、前記比較部が一致しないと判定した場合に、前記パターン生成部が生成した前記所定のパターンを含む、前記所定の波長の光信号を出力することを特徴とする付記１乃至３のいずれかに記載の光受信装置。
【０２１５】
［付記５］
前記受信部は、
入力された前記波長多重信号光を前記所定の波長の光信号に分波する分波部と、
前記分波部が分波した前記所定の波長の光信号を受信する入力部と、を有し、
前記入力部は、前記比較部に対して、前記所定の波長の光信号を出力することを特徴とする付記１乃至４のいずれかに記載の光受信装置。
【０２１６】
［付記６］
前記受信部は、
入力された前記波長多重信号光を分岐する分岐部と、
前記分岐部が分岐した前記波長多重信号光のうち、前記所定の波長の光信号を選択的に受信する入力部と、を有し、
前記入力部は、前記比較部に対して、受信した前記所定の波長の光信号を出力することを特徴とする付記１乃至４のいずれかに記載の光受信装置。
【０２１７】
［付記７］
所定の波長の光信号を受信する受信部と、
前記受信部が受信した前記所定の波長の光信号に、自装置を一意に識別する識別子を含ませて送信する送信部と、
前記識別子を含む光信号と前記所定の波長と異なる波長の光信号とを合波して出力する合波部と、
を備えることを特徴とする光送信装置。
【０２１８】
［付記８］
所定のパターンを生成するパターン生成部をさらに含み、
前記送信部は、所定の条件に応じて、前記所定のパターンを含む、前記所定の波長の光信号を送信することを特徴とする付記７に記載の光送信装置。
【０２１９】
［付記９］
所定の波長の光信号を受信する第１の受信部と、前記第１の受信部から入力した前記所定の波長の光信号に、自装置を一意に識別する識別子を含ませて送信する第１の送信部と、前記識別子を含む光信号及び前記所定の波長と互いに異なる波長の光信号を合波して出力する合波部と、を備える光送信装置と、
前記光送信装置が送信した前記波長多重信号光を入力する第２の受信部と、入力された前記波長多重信号光のうち、前記所定の波長の光信号に含まれる識別子に応じて、前記所定の波長の光信号を転送する第２の送信部とを備える光受信装置と、
を含むことを特徴とする光通信システム。
【０２２０】
［付記１０］
前記光送信装置が出力した波長多重光信号のうち、前記所定の波長の光信号を分岐して合波する中継装置と、
前記中継装置が分岐した光信号を受信し、前記中継装置に前記所定の波長の光信号を送信する光送受信装置と、をさらに含み、
前記中継装置は、当該中継装置と前記光送受信装置との間の伝送路に障害が生じたことに応じて、前記光受信装置に出力する光信号を、前記光送受信装置が送信する所定の波長の光信号から前記光送信装置が送信する所定の波長の光信号に切り替える
ことを特徴とする付記９に記載の光通信システム。
【０２２１】
［付記１１］
前記光送信装置は、
所定のパターンを生成するパターン生成部をさらに含み、
前記第１の送信部は、所定の条件に応じて、前記パターン生成部が生成した所定のパターンを含む、前記所定の波長の光信号を送信することを特徴とする付記９又は１０の光通信システム。
【０２２２】
［付記１２］
前記伝送路に生じた障害を検知して前記光送信装置に通知する制御装置をさらに含み、  前記光送信装置は、前記制御装置からの通知に応じて前記所定のパターンを含む、前記所定の波長の光信号を送信する
ことを特徴とする付記１１に記載の光通信システム。
【０２２３】
［付記１３］
波長多重信号光を受信し、
入力された前記波長多重信号光のうち、所定の波長の光信号に含まれる識別子に応じて、前記所定の波長の光信号を転送する、
ことを特徴とする光通信方法。
【０２２４】
［付記１４］
前記識別子と予め記憶されている比較情報とが互いに一致するか否かを判定し、
前記識別子と前記比較情報とが互いに一致すると判定した場合に、前記所定の波長の光信号を転送する
ことを特徴とする付記１３に記載の光通信方法。
【０２２５】
［付記１５］
前記識別子と前記比較情報とが互いに一致しないと判定した場合に、前記所定の波長の光信号を破棄することを特徴とする付記１４に記載の光通信方法。
【０２２６】
［付記１６］
所定のパターンを生成し、
前記識別子と前記比較情報とが互いに一致しないと判定した場合に、生成した前記所定のパターンを含む、前記所定の波長の光信号を出力する
ことを特徴とする付記１４又は１５に記載の光通信方法。
【０２２７】
［付記１７］
入力された前記波長多重信号光を前記所定の波長の光信号に分波し、
前記分波した前記所定の波長の光信号を受信し、
前記受信した前記所定の波長の光信号を出力する
ことを特徴とする付記１３乃至１６のいずれかに記載の光通信方法。
【０２２８】
［付記１８］
入力された前記波長多重信号光を分岐し、
分岐した前記波長多重信号光のうち、前記所定の波長の光信号を選択的に受信し、
受信した前記所定の波長の光信号を出力する
ことを特徴とする付記１３乃至１６のいずれかに記載の光通信方法。
【０２２９】
［付記１９］
所定の波長の光信号を受信し、
前記受信した前記所定の波長の光信号に、自装置を一意に識別する識別子を含ませて送信し、
前記識別子を含む光信号及び前記所定の波長と互いに異なる波長の光信号を合波して出力することを特徴とする付記１３乃至１８のいずれかに記載の光送信方法。
【０２３０】
［付記２０］
所定のパターンを生成し、
所定の条件に応じて、前記所定のパターンを含む、前記所定の波長の光信号を送信することを特徴とする付記１９に記載の光通信方法。
【０２３１】
［付記２１］
波長多重信号光を受信する処理と、
入力された前記波長多重信号光のうち、所定の波長の光信号に含まれる識別子に応じて、前記所定の波長の光信号を転送する処理と
をコンピュータに実行させることを特徴とするプログラム。
【０２３２】
［付記２２］
前記識別子と予め記憶する比較情報とが互いに一致するか否かを判定する処理と、
前記識別子と前記比較情報とが互いに一致すると判定した場合に、前記所定の波長の光信号を転送する処理と
を含むことを特徴とする付記２１に記載のプログラム。
【０２３３】
［付記２３］
前記識別子と前記比較情報とが互いに一致しないと判定した場合に、前記所定の波長の光信号を破棄する処理を含むことを特徴とする付記２２に記載のプログラム。
【０２３４】
［付記２４］
所定のパターンを生成する処理と、
前記識別子と前記比較情報とが互いに一致しないと判定した場合に、生成した前記所定のパターンを含む、前記所定の波長の光信号を出力する処理と
を含むことを特徴とする付記２２又は２３に記載のプログラム。
【０２３５】
［付記２５］
入力された前記波長多重信号光を前記所定の波長の光信号に分波する処理と、
前記分波した前記所定の波長の光信号を受信する処理と、
前記受信した前記所定の波長の光信号を出力する処理と
を含むことを特徴とする付記２１乃至２４のいずれかに記載のプログラム。
【０２３６】
［付記２６］
入力された前記波長多重信号光を分岐する処理と、
分岐した前記波長多重信号光のうち、前記所定の波長の光信号を選択的に受信する処理と、
受信した前記所定の波長の光信号を出力する処理と
を含むことを特徴とする付記２１乃至２４のいずれかに記載のプログラム。
【０２３７】
［付記２７］
所定の波長の光信号を受信する処理と、
前記受信した前記所定の波長の光信号に、自装置を一意に識別する識別子を含ませて送信する処理と、
前記識別子を含む光信号及び前記所定の波長と互いに異なる波長の光信号を合波して出力する処理と
を含むことを特徴とする付記２１乃至２６のいずれかに記載の光送信方法。
【０２３８】
［付記２８］
所定のパターンを生成する処理と、
所定の条件に応じて、前記所定のパターンを含む、前記所定の波長の光信号を送信する処理と
を含むことを特徴とする付記２７に記載のプログラム。
【０２３９】
以上、実施形態を参照して本願発明を説明したが、本願発明は上記実施形態に限定されものではない。本願発明の構成や詳細には、本願発明のスコープ内で当業者が理解し得る様々な変更をすることができる。
【０２４０】
この出願は、２０１３年９月２６日に出願された日本出願特願２０１３−１９９９４０を基礎とする優先権を主張し、その開示の全てをここに取り込む。
【符号の説明】
【０２４１】
１−１  光受信装置
１−２  光送信装置
１−３  光送受信装置
１０、１０−１、１０−２、１０−３、１０−４  基地局
１１  受信部
１２  送信部
１３  比較部
１４  記憶部
１５  入力部
１６  分波部
１７  分岐部
１８  パターン生成部
２０  伝送路
２１  受信部
２３  出力部
２４  挿入部
２５  合波部
３０  ＢＵ
４０、４０−１、４０−２、４０−３、４０−４  端局装置
４１、４１−１、４１−２、４１−３、４１−４、４１−５  トランスポンダ
４２  クライアントモジュール
４３  ＦｒａｍｅｒＬＳＩ
４４  挿入部
４５  ラインモジュール
４６  比較部
４７  記憶部
４８  パターン生成部
５０、５０−１、５０−２、５０−３、５０−４、５０−５  クライアント装置
５１、５１−１、５１−２、５１−３、５１−４  波長分離合波部
６１  暗号部
６２  復号部
７０  ＥＭＳ
【図１】
2015045303.tif 000003
【図２】
2015045303.tif 000004
【図３】
2015045303.tif 000005
【図４】
2015045303.tif 000006
【図５】
2015045303.tif 000007
【図６】
2015045303.tif 000008
【図７】
2015045303.tif 000009
【図８】
2015045303.tif 000010
【図９】
2015045303.tif 000011
【図１０】
2015045303.tif 000012
【図１１】
2015045303.tif 000013
【図１２】
2015045303.tif 000014
【図１３】
2015045303.tif 000015
【図１４】
2015045303.tif 000016
【図１５】
2015045303.tif 000017
【図１６】
2015045303.tif 000018
【図１７】
2015045303.tif 000019
【図１８】
2015045303.tif 000020
【図１９】
2015045303.tif 000021
【図２０】
2015045303.tif 000022
【図２１】
2015045303.tif 000023
【図２２】
2015045303.tif 000024
【図２３】
2015045303.tif 000025
【図２４】
2015045303.tif 000026
【図２５】
2015045303.tif 000027
【図２６】
2015045303.tif 000028
【図２７】
2015045303.tif 000029
【図２８】
2015045303.tif 000030
【図２９】
2015045303.tif 000031
【図３０】
2015045303.tif 000032
【図３１】
2015045303.tif 000033
【図３２】
2015045303.tif 000034
【手続補正書】
【提出日】平成28年2月22日(2016.2.22)
【手続補正１】
【補正対象書類名】特許請求の範囲
【補正対象項目名】請求項１６
【補正方法】変更
【補正の内容】
【請求項１６】
波長多重信号光を受信する処理と、
入力された前記波長多重信号光のうち、所定の波長の光信号に含まれる識別子に応じて、前記所定の波長の光信号を転送する処理と
をコンピュータに実行させることを特徴とするプログラム。
【手続補正２】
【補正対象書類名】特許請求の範囲
【補正対象項目名】請求項１７
【補正方法】変更
【補正の内容】
【請求項１７】
前記識別子と予め記憶する比較情報とが互いに一致するか否かを判定する処理と、
前記識別子と前記比較情報とが互いに一致すると判定した場合に、前記所定の波長の光信号を転送する処理と
を含むことを特徴とする請求項１６に記載のプログラム。
【手続補正３】
【補正対象書類名】特許請求の範囲
【補正対象項目名】請求項１８
【補正方法】変更
【補正の内容】
【請求項１８】
所定の波長の光信号を受信する処理と、
前記入力した前記所定の波長の光信号に、自装置を一意に識別する識別子を含ませて送信する処理と、
前記識別子を含む光信号及び前記所定の波長と互いに異なる波長の光信号を合波し、前記波長多重信号光として出力する処理と
を含むことを特徴とする請求項１６又は１７に記載のプログラム。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
所定の波長の光信号を受信する第１の受信手段と、前記第１の受信手段から入力した前記所定の波長の光信号に、自装置を一意に識別する識別子を含ませて送信する第１の送信手段と、前記識別子を含む光信号及び前記所定の波長と互いに異なる波長の光信号を合波して出力する合波手段と、を備える光送信装置と、
前記光送信装置が送信した波長多重信号光を入力する第２の受信手段と、入力された前記波長多重信号光のうち、所定の波長の光信号に含まれる識別子に応じて、前記所定の波長の光信号を転送する第２の送信手段とを備える光受信装置と、
前記光送信装置が出力した波長多重光信号のうち、前記所定の波長の光信号を分岐して合波する中継装置と、
前記中継装置が分岐した光信号を受信し、前記中継装置に前記所定の波長の光信号を送信する光送受信装置とを含み、
前記中継装置は、当該中継装置と前記光送受信装置との間の伝送路に障害が生じたことに応じて、前記光受信装置に出力する光信号を、前記光送受信装置が送信する所定の波長の光信号から前記光送信装置が送信する所定の波長の光信号に切り替え、前記障害によって消失した光信号を他の光信号によって補償するように前記他の光信号の経路を制御する
ことを特徴とする光通信システム。
【請求項２】
前記光送信装置は、
所定のパターンを生成するパターン生成手段をさらに含み、
前記第１の送信手段は、所定の条件に応じて、前記パターン生成手段が生成した所定のパターンを含む、前記所定の波長の光信号を送信する
ことを特徴とする請求項１に記載の光通信システム。
【請求項３】
前記伝送路に生じた障害を検知して前記光送信装置に通知する制御装置をさらに含み、  前記光送信装置は、前記制御装置からの通知に応じて前記所定のパターンを含む、前記所定の波長の光信号を送信する
ことを特徴とする請求項２に記載の光通信システム。
【請求項４】
光受信装置が、光送信装置によって送信された波長多重信号光を受信し、
光受信装置が、入力された前記波長多重信号光のうち、所定の波長の光信号に含まれる識別子に応じて、前記所定の波長の光信号を転送し、
中継装置が、前記波長多重光のうち、前記所定の波長の光信号を分岐して合波し、
光送受信装置が、前記分岐された光信号を受信し、前記中継装置に前記所定の波長の光信号を送信し、
前記中継装置が、当該中継装置と前記光送受信装置との間の伝送路に障害が生じたことに応じて、前記光受信装置に出力する光信号を、前記光送受信装置が送信する所定の波長の光信号から前記光送信装置が送信する所定の波長の光信号に切り替え、前記障害によって消失した光信号を他の光信号によって補償するように前記他の光信号の経路を制御する
光通信方法。
【請求項５】
前記識別子と予め記憶されている比較情報とが互いに一致するか否かを判定し、
前記識別子と前記比較情報とが互いに一致すると判定した場合に、前記所定の波長の光信号を転送する
ことを特徴とする請求項４に記載の光通信方法。
【請求項６】
所定の波長の光信号を受信し、
前記入力した前記所定の波長の光信号に、自装置を一意に識別する識別子を含ませて送信し、
前記識別子を含む光信号及び前記所定の波長と互いに異なる波長の光信号を合波し、前記波長多重信号光として出力する
ことを特徴とする請求項４又は５に記載の光通信方法。
【国際調査報告】
2015045303.tif 000035
2015045303.tif 000036
2015045303.tif 000037